(57)【要約】      （修正有）【課題】  インク画像を受け取り物質に適用するための装置を提供する。さらには、少なくとも従来の装置で問題となる歪みを減少するために受け取り物質上のインク画像の適用工程にわたって改善された制御を有する装置を提供する。【解決手段】  進行方向へ進められるように適応された受け取り物質にインク画像を適用するための装置であり、該装置は、受け取り物質のストリップにインク画像を適用するためのインク適用手段と、インク適用手段に関する所定位置でストリップを維持するためのキャリア手段と、キャリアプレートとキャリアプレート上に位置する受け取り物質のストリップとの間の空間から孔を介して空気を吸収するための真空手段と、受け取り物質とインク適用手段との間の距離で局所的な変動を修正するための修正手段と、からなる。【選択図】  図３Ａ
2005041208.tif 000002
【特許請求の範囲】
【請求項１】
進行方向へ進められるように適応された受け取り物質にインク画像を適用するための装置であって、該装置は、
前記受け取り物質の進行方向に対して横断する方向で延在する受け取り物質のストリップにインク画像を適用するためのインク適用手段であり、該インク適用手段は前記受け取り物質のストリップ上で移動可能であることを特徴とするインク適用手段と、
前記インク適用手段に関する所定位置で前記ストリップを維持するためのキャリア手段であり、該キャリア手段は、ストリップを保持するためのキャリアプレートからなり、該キャリアプレートは窪みを有し、孔を備えて提供されることを特徴とするキャリア手段と、
前記キャリアプレートと前記キャリアプレート上に位置する受け取り物質のストリップとの間の空間から孔を介して空気を吸収するための真空手段と、
前記受け取り物質と前記インク適用手段との間の距離で局所的な変動を修正するための修正手段と、
からなることを特徴とする装置。
【請求項２】
前記修正手段は、前記インク適用手段によるインク放出の瞬間を調節するためのタイミング手段を含むことを特徴とする請求項１に記載の装置。
【請求項３】
前記タイミング手段は、前記インク適用手段が窪みの下方傾斜の近くである場合に前記インク放出の瞬間を進めるために、前記インク適用手段が窪みの上方傾斜の近くである場合に前記インク放出の瞬間を遅らせるために配置されることを特徴とする請求項２に記載の装置。
【請求項４】
前記インク適用手段は前記キャリアプレート上を均一な速度で移動するために配置されることを特徴とする請求項２又は３に記載の装置。
【請求項５】
前記修正手段は、前記インク適用手段と前記キャリアプレートとの間の相対速度を調節するための速度調節手段からなることを特徴とする前述までの請求項のうちいずれか一項に記載の装置。
【請求項６】
前記速度調節手段は、前記インク適用手段が窪みの下方傾斜の近くである場合に相対速度を減少するために、前記インク適用手段が窪みの上方傾斜の近くである場合に相対速度を早めるために配置されることを特徴とする請求項５に記載の装置。
【請求項７】
前記速度調節手段は、前記受け取り物質のストリップの方向に対して実質的に平行な方向で前記キャリアプレートを移動するための並進手段を含むことを特徴とする請求項５又は６に記載の装置。
【請求項８】
前記並進手段は、前記キャリアプレートの往復移動のために配置されることを特徴とする請求項７に記載の装置。
【請求項９】
前記速度調節手段は、前記インク適用手段の速度を調節するための手段を含むことを特徴とする請求項５、６、７又は８に記載の装置。
【請求項１０】
前記修正手段は、前記インク適用手段と前記キャリアプレートとの間の距離を調節するための調節手段を含むことを特徴とする前述までの請求項のうちいずれか一項に記載の装置。
【請求項１１】
前記調節手段は、前記インク適用手段と前記キャリアプレートとの間の距離を調節する方向で前記キャリアプレートを移動するための第一の移動手段を含むことを特徴とする請求項１０に記載の装置。
【請求項１２】
前記調節手段は、前記インク適用手段と前記キャリアプレートとの間の距離を調節する方向で前記インク適用手段を移動するための第二の移動手段を含むことを特徴とする請求項１０又は１１に記載の装置。
【請求項１３】
前記修正手段は波動の電子信号によって制御可能であり、前記波動信号の先端及び末端は、前記窪みの下方傾斜及び上方傾斜に対応することを特徴とする前述までの請求項のうちいずれか一項に記載の装置。
【請求項１４】
前記装置はさらに、受け取り物質の特性、インク特性、インク画像特性、印刷モード、キャリアプレートの特性、前記インク適用手段と前記キャリアプレートとの間の距離、及び前記キャリアプレートに関する前記インク適用手段の速度からなる群から選択される特性の少なくとも一つに依存する前記修正手段を制御するための制御手段を含むことを特徴とする前述までの請求項のうちいずれか一項に記載の装置。
【請求項１５】
前記受け取り物質の特性は、グレード、タイプ、厚さ、湿気の程度、単位面積当たりの重量又は物質、及びサイズからなる群から選択される少なくとも一つの特性を含むことを特徴とする請求項１４に記載の装置。
【請求項１６】
前記インク特性は、粘性、インクの湿りの特性からなる群から選択される少なくとも一つの特性を含むことを特徴とする請求項１４に記載の装置。
【請求項１７】
前記インク画像の特性は、インクによってカバーされる面積の分画、ピクセル密度からなる群から選択される少なくとも一つの特性を含むことを特徴とする請求項１４に記載の装置。
【請求項１８】
印刷モードは、ラストモード、ノーマルモード、及びベストモードからなる群から選択される少なくとも一つを含むことを特徴とする請求項１４に記載の装置。
【請求項１９】
キャリアプレートの特性は、窪みの形態及び／又は輪郭、真空手段により生じる真空圧の度合いからなる群から選択される少なくとも一つの特性を含むことを特徴とする請求項１４に記載の装置。
【請求項２０】
前記装置は、前記インク適用手段の経路に関して前記窪みの位置を決定するための決定手段を含むことを特徴とする請求項１９に記載の装置。
【請求項２１】
前記制御手段は、前記少なくとも一つの特性を入力するための入力手段を含むことを特徴とする請求項１４乃至２０のいずれか一項に記載の装置。
【請求項２２】
進行方向へ受け取り物質を進めるように適応した装置を使用して該受け取り物質にインク画像を適用するための方法であって、該方法は、
インク適用手段に関して所定位置でキャリア手段上の受け取り物質のストリップの配置段階であり、該キャリア手段はストリップを保持するためのキャリアプレートを含み、該キャリアプレートは前記受け取り物質の進行方向に対して実質的に平行な方向で延在する窪みを有し、孔を備えて提供されていることを特徴とする配置段階と、
真空手段を使用して前記キャリアプレートと前記キャリアプレート上に位置する前記受け取り物質のストリップとの間の空間から前記孔を介して空気を吸収することにより前記キャリア手段上に前記受け取り物質のストリップを維持する段階と、
前記インク適用手段を使用して前記受け取り物質のストリップにインク画像を適用する段階であり、該ストリップは前記受け取り物質の進行方向に対して横断する方向で延在することを特徴とする適用段階と、及び
前記受け取り物質と前記インク適用手段との間の距離における局所的な変動を修正手段の使用で修正する段階と、
を含むことを特徴とする方法。
【請求項２３】
前記修正手段は、請求項２、３又は４に記載のタイミング手段を含むことを特徴とする請求項２２に記載の方法。
【請求項２４】
前記修正手段は、請求項５、６、７、８又は９に記載の速度調節手段を含むことを特徴とする請求項２２に記載の方法。
【請求項２５】
前記修正手段は、請求項１０、１１又は１２に記載の調節手段を含むことを特徴とする請求項２２に記載の方法。
【請求項２６】
前記修正手段は、波動の電子信号によって制御可能であり、前記波動信号の先端及び末端は、前記窪みの下方傾斜及び上方傾斜に対応することを特徴とする請求項２２、２３、２４又は２５に記載の方法。
【請求項２７】
前記修正手段は、請求項１４乃至２１に記載の制御手段によって制御されることを特徴とする請求項２２、２３、２４、２５又は２６に記載の方法。
【請求項２８】
添付図を参照して下記に記載されるように実質的に受け取り物質にインク画像を適用するための装置。
【請求項２９】
添付図を参照して下記に記載されるような実質的な方法。
【発明の詳細な説明】
【技術分野】
【０００１】
本発明は、インク画像を受け取り物質に適用するための装置に関する。特に、本発明はコピー機又はプリンタに関し、より詳細には、受け取り物質がキャリアプレートに対して保持されるフォトコピー機又はプリンタに関する。さらに、本発明はインク画像を受け取り物質に適用するための方法に関する。
【背景技術】
【０００２】
受け取り画像に対するインク画像の適用中にキャリアプレートに対して平らな受け取り物質を維持するための装置が一般的に既知である。例えば、キャリアプレートは、受け取り物質がキャリアプレート上を段階的に移動可能な方向に延在するＶ字型のチャンネルを備えて提供される。チャンネルを互いから分離するリブは、受け取り物質での吸湿性によって形成される泡を真空圧力によってチャンネルに引き入れるため、泡がキャリアプレート上に平らに移動可能なインク適用手段とリブで接触するのを防ぐために、吸収開口部を備えて提供される。
【０００３】
インク適用手段と、特に、インク適用手段の方向に泡を放出する受け取り物質の部分から接触しないで留まる相当な程度を保証することが可能なように、受け取り物質は、かなりの力でキャリアプレートに対して引かれる。
【０００４】
既知の装置の問題は、幾つかの受け取り物質上のインク画像が、例えば、局所的に生じる線の広がり及び十分なエリアにおける密度変化により歪められることである。
【発明の開示】
【発明が解決しようとする課題】
【０００５】
本発明の目的は、上記の従来の問題を改善することである。
【０００６】
本発明のさらなる目的は、少なくとも上記の歪みを削減するために受け取り物質上のインク画像の適用工程にわたって改善された制御を有する装置を提供することである。
【課題を解決するための手段】
【０００７】
一つの態様から、本発明は、進行方向へ進められるように適応された受け取り物質にインク画像を適用するための装置を提供し、該装置は、
受け取り物質のストリップ（受け取り物質の進行方向に対して横断する方向で延在する）にインク画像を適用するためのインク適用手段（受け取り物質のストリップ上で移動可能）と、
インク適用手段に関する所定位置でストリップを維持するためのキャリア手段（キャリア手段はストリップを保持するためのキャリアプレートからなり、キャリアプレートは窪みを有し、孔を備えて提供される）と、
キャリアプレートとキャリアプレート上に位置する受け取り物質のストリップとの間の空間から孔を介して空気を吸収するための真空手段と、
受け取り物質とインク適用手段との間の距離で局所的な変動を修正するための修正手段と、
からなる。
【０００８】
数多の受け取り物質、特にスラック又はコンプライアントな受け取り物質は、真空圧により窪みに対してある程度まで引き込まれる。一方で、インク適用手段の方向で泡を放出する程度を減少するので、これは好意的である。また一方では、窪み内への受け取り物質のたわみは、インク画像の位置付け誤差となるかもしれない。
【０００９】
例えば、ライン等距離のドットが受け取り物質上に印刷される場合、ラインが窪みへたわんだ受け取り物質の一部と交差する場合、これらのドットのインク画像が歪められる。インク適用手段の移動方向において、受け取り物質上のドット間の距離は、インク適用手段がたわんだ受け取り物質の下方傾斜にわたって移動する場合に長くなるであろう。この距離は、インク適用手段がたわんだ受け取り物質の上方傾斜にわたって移動する場合に縮小するであろう。インク画像の歪みが受け取り物質の各ストリップで繰り返されるので、これらの歪みは、受け取り物質の進行方向でパターンを形成するために増し加える。
【００１０】
さらに、キャリアプレートは周知の一連の規則的に間隔が置かれた窪み又はチャンネルを備えて提供することができる。この結果として、上記の歪みは各窪みの周辺位置に出現し、それらの歪みは受け取り物質の進行方向に対して垂直方向の縦の波形を形成するために増し加える。
【００１１】
受け取り物質とインク適用手段との間の局所的な変動を少なくとも部分的に修正するための修正手段を備える受け取り物質にインク画像を供給するための装置を提供することは、インク画像をなすインクドットのミスアライメントの減少による、インク画像の実質的な改善となってよい。
【００１２】
第一の実施態様において、修正手段は、インク適用手段によるインク放出の瞬間を調節するためのタイミング手段からなる。局所的な距離の変動は、インク適用手段から受け取り物質までのインク小滴の飛行時間の変化を引き起こす。インク小滴の飛行時間のそのような変化は、インク放出の瞬間を調節することによって補償できる。例えば、受け取り物質が窪みにたわむ場合、受け取り物質とインク適用手段との間の距離は局所的に拡大され、インク小滴の飛行時間は増大するだろう。インク適用手段によってインク放出の瞬間を進めることは、この増大した飛行時間を補償でき、窪み内への受け取り物質のたわみによるインク小滴の位置のミスアライメントを修正できる。
【００１３】
さらなる展開において、タイミング手段は、インク適用手段が窪みの下方傾斜の近くである場合にインク放出の瞬間を進めるために、インク適用手段が窪みの上方傾斜の近くである場合にインク放出の瞬間を遅らせるために配置される。好ましくは、進みと遅れは波動の電子信号によって定義され、波動信号の先端及び末端は、窪みの下方傾斜及び上方傾斜にそれぞれ対応する。したがって、飛行時間の差異は、インク適用手段によってインク放出の瞬間を制御する、信号の簡素な電子修正を使用して修正できる。
【００１４】
さらなる展開において、適用手段はキャリアプレート上を均一な速度で移動するために配置される。この場合、キャリアプレート上で規則的に間隔が置かれた窪みとの組合せである場合、波動の電子信号はまた規則的であり、簡素な規則的な電子波信号が使用できる。
【００１５】
第二の実施態様において、修正手段は、インク適用手段とキャリアプレートとの間の相対速度を調節するための速度調節手段からなる。さらなる展開において、速度調節手段は、インク適用手段が窪みの下方傾斜の近くである場合に相対速度を減少するために、インク適用手段が窪みの上方傾斜の近くである場合に相対速度を早めるために配置される。インク適用手段とキャリアプレートとの間の相対速度のこの変化により、インク小滴の軌道は、インク適用手段と受け取り物質との間の局所的な距離の変動を補償するために調節できる。
【００１６】
インク適用手段とキャリアプレートとの間の相対速度のかかる調節は、受け取り物質のストリップの方向に対して実質的に平行な方向でキャリアプレートを移動するための並進手段からなる速度調節手段で実行できる。さらなる展開において、並進手段はキャリアプレートの往復移動のために配置される。キャリアプレートを移動するためのそのような並進手段は、インク適用手段にとって変化せず、既知のインク適用手段が本発明の装置で使用できるという利点を有する。
【００１７】
代替として、速度調節手段は、インク適用手段の速度を調節するための手段からなる。適用手段のこの速度の調節は、波動の電子信号によって定義されてよく、波動信号の先端及び末端は、窪みの下方傾斜及び上方傾斜にそれぞれ対応する。したがって、速度の変化は、インク適用手段の速度を制御するための信号の簡素な電子修正によって達成できる。
【００１８】
さらに、インク適用手段の速度を調節するための上記の手段と受け取り物質のストリップの方向に対して実質的に平行な方向でキャリアプレートを移動するための並進手段は組合せできる。この場合、インク適用手段とキャリアプレートとの間の相対速度の必要とされる調節は、インク適用手段の速度を調節するための手段と並進手段との間で分割できる。この手法において、それら手段の各調節量は減少できる。特に、キャリアプレートを移動するための並進手段の速度が減少できる。
【００１９】
上記の第一及び第二の実施態様のさらなる利点は、キャリアプレートとインク適用手段との間の距離が修正手段によって影響されないことである。したがって、受け取り物質がインク適用手段と接触し得る危険性は、先行技術でのように低い。
【００２０】
第三の実施態様において、修正手段は、インク適用手段とキャリアプレートとの間の距離を局所的に調節するための調節手段からなる。さらなる展開において、この調節は、本質的に、インク適用手段と受け取り物質との間の一定距離となる。この距離の調節はまた波動の電子信号によって定義され、波動信号の先端及び末端は、窪みの下方傾斜及び上方傾斜にそれぞれ対応する。
【００２１】
さらなる展開において、調節手段は、インク適用手段とキャリアプレートとの間の距離を調節する方向でキャリアプレートを移動するための第一の移動手段からなる。あるいは追加的に、調節手段は、インク適用手段とキャリアプレートとの間の距離を調節するための方向でインク適用手段を移動するための第二の移動手段からなる。第一及び第二の移動手段からなる装置において、調節の程度はそれら２つの移動手段間で分割でき、それによって、それら移動手段の各々において必要とされる調節量を減少する。
【００２２】
好ましい実施態様において、装置はさらに、受け取り物質の特性、インク特性、インク画像特性、印刷モード、キャリアプレートの特性、インク適用手段とキャリアプレートとの間の距離、及びキャリアプレートに関するインク適用手段の速度からなる群から選択される特性の少なくとも一つに依存する修正手段を制御するための制御手段を含む。前述に列記した特性のうち少なくとも一つを使用して、受け取り物質が窪みに引かれる程度は推論されて、評価することができるか又は決定される。結果として、制御手段は、窪みへの受け取り物質のたわみのかかる評価された程度を修正するための修正手段を制御する。そのような制御手段の使用は、受け取り物質の様々な異なるタイプなど様々な状態に容易に適応できる非常に柔軟な装置となる。
【００２３】
さらなる展開において、制御手段は、上記の特性を入力するための入力手段を含む。一つ以上の上記の特性又は上記の特性の状態を定義する値は、あるタイプの受け取り物質から別のタイプの受け取り物質へ変化するか、あるいは、あるタイプの印刷インクから別のタイプの印刷インクに変化する場合、入力手段を介して入力されるか又は改変されてよい。かかる値は数値的な値かもしれないが、英数字のような他の特徴をさらに含むかもしれない。
【００２４】
受け取り物質の特性は、グレード、タイプ、厚さ、湿気の程度、単位面積当たりの重量又は物質、及びサイズからなる群から選択される少なくとも一つの特性を含んでよい。
【００２５】
インク特性は、粘性、インクの水又は溶媒の内容、及びインクの湿りの特性からなる群から選択される少なくとも一つの特性を含んでよい。
【００２６】
インク画像の特性は、インクによってカバーされる面積の分画、ピクセル密度からなる群から選択される少なくとも一つの特性を含んでよい。
【００２７】
印刷モードは、ラストモード、ノーマルモード、及びベストモードからなる群から選択される少なくとも一つの特性を含んでよい。ラストモードにおいて、インク画像は、受け取り物質のストリップ上のインク適用手段の一つの単一の移動で印刷される。一方、ノーマルモードにおいて、インク画像は、受け取り物質のストリップ上にわたるインク適用手段の往復移動で印刷される。ベストモードにおいて、インク画像は一つ以上の前進運動又は往復運動で印刷される。
【００２８】
キャリアプレートの特性は、窪みの形態、窪みの輪郭、及び真空手段により生じる真空圧の度合いからなる群から選択される少なくとも一つの特性を含んでよい。
【００２９】
さらなる展開において、装置は、インク適用手段の経路に関して窪みの位置を決定するための決定手段を含む。適用手段の経路に関して窪みの相対的な位置に関する情報は、その後、制御手段に転送できる。この情報は、前述したように修正手段を制御するために使用できる。検出手段は、修正手段のキャリブレーション又はリキャリブレーションにおいて使用でき、例えば、インク適用手段の実際の経路に関して窪みの相対的な位置を検出するために本発明による装置の開始状態で使用されてよい。
【００３０】
第二の態様により、本発明は、進行方向へ受け取り物質を進めるために適応した装置を使用して受け取り物質にインク画像を適用するための方法を提供し、かかる方法は、
インク適用手段に関して所定位置でキャリア手段（かかるキャリア手段はストリップを保持するためのキャリアプレートを含み、キャリアプレートは受け取り物質の進行方向に対して実質的に平行な方向で延在する窪みを有し、孔を備えて提供されている）上の受け取り物質のストリップの配置段階と、
真空手段を使用してキャリアプレートとキャリアプレート上に位置する受け取り物質のストリップとの間の空間から孔を介して空気を吸収することによりキャリア手段上に受け取り物質のストリップを維持する段階と、
インク適用手段を使用して受け取り物質のストリップ（かかるストリップは受け取り物質の進行方向に対して横断する方向で延在する）にインク画像を適用する段階と、及び
受け取り物質のストリップ上を適用手段の移動中に修正手段を使用して、受け取り物質とインク適用手段との間の距離における局所的な変動を修正する段階と、
を含む。
【００３１】
かかる修正は、前述のようなタイミング手段を使用してインク適用手段によりインク放出の瞬間を調節することにより実行できる。
【００３２】
追加として又は代替として、前述の局所的な変動はまた、インク画像を受け取り物質のストリップに適用するためにインク適用手段がキャリアプレート上で移動される相対速度を調節することによって修正できる。
【００３３】
さらに、インク適用手段とキャリアプレートとの間の距離を調節することは、局所的な変動を修正できる。
【００３４】
さらなる展開において、受け取り物質とインク適用手段との間の距離の局所的な変動は、インクの特性、受け取り物質の特性、インク画像の特性、印刷モード、キャリアプレートの特性、インク適用手段とキャリアプレートとの間の距離、及びキャリアプレートに関するインク適用手段の速度からなる群から選択される少なくとも一つの特性を使用して評価されるか又は決定される。そのような特性は、修正手段を制御するための制御手段に入力されてよい。
【００３５】
本発明は、添付図に示される典型的な実施態様に基づいて解明されるであろう。
【発明を実施するための最良の形態】
【００３６】
図１に示される装置は、ストック（示されていない）から供給する受け取り物質３を供給するためのフィードパスでトランスポートニップ２を備えるトランスポートローラ１を含む。ローラシステム１は、インラインのトランスポートニップ２を通じて受け取り物質３のスリップなしの断続的な輸送を提供するために、約８０ｍｍの直径の運転可能ローラ及び約１４ｍｍの直径を備えた多くの柔軟なゴム接触圧力ローラによって形成される。トランスポートニップ２が位置するフィードパスは、受け取り物質３が移動する上のガイドプレート４によって形成される。ガイドプレート４は、その上に供給される受け取り物質３の一部のための保持表面を形成するキャリアプレート５によっては輸送方向に続く。キャリアプレート５上に位置する受け取り物質３の一部を印刷することは、インクジェットプリンタヘッド６などのインク適用手段によって達成される。一つ以上のプリンタヘッドは、周知の手法で受け取り物質３にインク画像を適用するために使用されてよい。
【００３７】
図１に示されるように、キャリアプレート６は、キャリアプレート５上で受け取り物質３の進行方向に対して平行に延在するＶ字型リブ７から構成される輪郭の形態を有する。各リブ７は、プリンタヘッド６の下側の下の短い距離ｄで延在する面に位置する上面８によって形成される（図３Ａ、３Ｂ及び３Ｃを参照）。距離ｄは、ここではインク適用手段７とキャリアプレート５との間の距離を意味する。
【００３８】
リブ間で、窪み９は、キャリアプレート５上の受け取り物質３と受け取り物質３上にわたって往復運動１０で移動するプリンタヘッド６との間の接触を防ぐ役目をして形成される。受け取り物質３は、特に水性インクでの印刷の間に、最もおそらく吸湿性により局所的に丸まるかもしれない。チャンネル形の窪み９上の任意の泡もそこに下がることができる。
【００３９】
キャリアプレート５は、キャリアプレート５とキャリアプレート５上に位置する受け取り物質３のストリップとの間の空間から孔１２を介して空気を吸収するための真空手段に接続される、キャリアプレート５の真下で空気チャンバー１３に接続される孔１２を備えて提供される。図１において、それらの孔１２はリブ７の上面８に提供される。しかしながら、それらの孔１２はまた、図２に描写されるようにチャンネル９に提供されてよい。キャリアプレート５と受け取り物質３との間の真空圧により、受け取り物質３は図１に描写されるようにチャンネル９である程度まで引かれる。この状態は、図２の断面図で概略して描写される。ここで、受け取り物質３がチャンネル９まで下がる深さは、記号Ｘによって示される。通常、この深さは、およそ１ｍｍであるが、３−４ｍｍと同じくらい大きくてよい。
【００４０】
インク適用手段６と受け取り物質３との間の距離の局地的な変動における少なくとも部分的に補償するために、本発明による装置は、図３Ａ、３Ｂ及び３Ｃに描写されるように修正手段を有する。
【００４１】
図３Ａに概略して描写される第一の典型的な実施態様において、本発明による装置は、キャリアプレート５上に位置する受け取り物質３上でプリンタヘッド６の移動１０の間、プリンタヘッド６によってインク放出の瞬間を調節するためのタイミング手段３１を備えて提供される。
【００４２】
図３Ｂに概略して描写される第二の典型的な実施態様において、本発明の装置は、キャリアプレート５に関してインク適用手段７の相対速度を調節するための速度調節手段４１、４３を備えて提供される。この相対速度は、キャリアプレート５上に位置する受け取り物質３上のプリンタヘッド６の移動１０の方向に対して実質的に平行な方向での往復運動４２においてキャリアプレート５を移動する移動手段４１によって調節できる。追加的又は代替として、かかる相対速度は、受け取り物質３上の受け取り物質の移動１０に間にプリンタヘッド６の速度を調節する、速度調節手段４３によって調節できる。
【００４３】
図３Ｃに概略して描写される第三の典型的な実施態様において、本発明による装置は、プリンタヘッド６とキャリアプレート５との間の距離ｄを調節するための調節手段５１、５３を備えて提供される。この距離ｄは、キャリアプレート５上に位置する受け取り物質３上でプリンタヘッド６の移動１０に対して実質的に垂直な方向５２でキャリアプレート５を移動するための第一の移動手段５１によって調節できる。追加的に又は代替として、この距離ｄは、プリンタヘッド６の移動１０に対して実質的に垂直な方向５４でプリンタヘッド６を移動するための第二の移動手段５３によって調節できる。
【００４４】
前述のチャンネル９を備えるキャリアプレート５上のプリンタヘッドの移動１０の間にプリンタヘッド６の経路に関したチャンネル９の位置と、プリンタヘッド６が受け取り物質３のストリップ上を移動する相対速度は周知であるか、又は決定できる。修正手段３１、４１、４３、５１、５３は、図４に描写されるように波動の電子信号６０によって制御可能であり、波動信号６０の先端６１及び末端６２は、チャンネル９の下方傾斜及び上方傾斜にそれぞれ対応する（図２のチャンネル９と比較）。
【００４５】
信号６０の振幅Ａは、受け取り物質３がチャンネル９内に下がる深さＸに依存して調節可能である。結局のところ、本発明による装置の前述の典型的な実施態様は、図５に描写される制御手段７０を備えて提供できる。かかる制御手段はマイクロプロセッサ７１とメモリ手段７２とを含む。印刷処理の特性は、メモリ手段７２に記録される。印刷処理のそのような特性は、受け取り物質３の特性、インクの特性、インク画像の特性、印刷モード、キャリアプレート５の特性、プリンタヘッド６とキャリアプレート５との間の距離、キャリアプレート５に関するプリンタヘッド６の速度を含んでよい。キーボードの制御パネル７４は、メモリ手段７２にかかる特性を入力するか変更するために制御手段７０に結合される。例えば、第一の受け取り物質が異なる特性を有する第二の受け取り物質によって置換される場合、メモリ手段７２に記録されるような第一の受け取り物質の特性は、第二の受け取り物質の特性と置き換えできる。
【００４６】
マイクロプロセッサ７１は、受け取り物質３がメモリ手段７２に記録されるような印刷処理のかかる特性からチャンネル９内に下がる深さＸを決定するか又は発生できる。この情報に対応して、マイクロプロセッサ７１は、例えば、制御信号が修正手段３１、４１、４３、５１、５３の入力３５、４５、４６、５５、５６まで制御手段７０の出力７５を介して送られる図４に描写の信号６０の振幅Ａｍｐである制御信号を生成するか、又は調節する。
【図面の簡単な説明】
【００４７】
【図１】従来技術による装置の詳細な上面図である。
【図２】キャリア手段の詳細な断面図である。
【図３Ａ】本発明による典型的な実施態様の概略図である。
【図３Ｂ】本発明による典型的な実施態様の概略図である。
【図３Ｃ】本発明による典型的な実施態様の概略図である。
【図４】修正手段を制御するための電子信号の概略図である。
【図５】本発明の修正手段を制御するための制御手段の図である。
【符号の説明】
【００４８】
１    ローラシステム
２    トランスポートニップ
３    受け取り物質
４    ガイドプレート
５    キャリアプレート
６    インクジェットプリンタヘッド
７    リブ
８    上面
９    窪み
１０  プリンタヘッド６の移動
１２  孔
１３  空気チャンバー
３１  タイミング手段
３５  入力
４１  速度調節手段
４２  往復運動
４３  速度調節手段
４５  入力
４６  入力
５１  調節手段
５２  プリンタヘッド６の移動１０に対する垂直方向
５３  調節手段
５４  プリンタヘッド６の移動１０に対する垂直方向
５５  入力
５６  入力
６０  波動の電子信号
６１  波動信号６０の先端
６２  波動信号６０の末端
７０  制御手段
７１  マイクロプロセッサ
７２  メモリ手段
７４  制御パネル
７５  出力
【図１】
2005041208.tif 000003
【図２】
2005041208.tif 000004
【図３Ａ】
2005041208.tif 000005
【図３Ｂ】
2005041208.tif 000006
【図３Ｃ】
2005041208.tif 000007
【図４】
2005041208.tif 000008
【図５】
2005041208.tif 000009